(57)【要約】【課題】照明装置の高さを抑える照明器具を提供する。【解決手段】照明器具１００は、基部１０と、筐体２０とを備える。基部１０は、基板１１と、ヒートシンク１２とで構成される。基板１１の前面１３は、照明を取り付け可能な構造となっている。また、ヒートシンク１２は、基板１１の背面１４上に設けられている。筐体２０は、電源を収容可能なものであり、基部１０と繋がった態様で、基部１０の長手方向側方に配置される。また、筐体２０は、その背面２５が開閉可能な構造となっており、背面２５から電源を入れる。また、基部１０と筐体２０とは、列方向へ直線状に伸びた態様をしている。照明と電源は、それぞれ基部１０と筐体２０とに取り付けられ、それらに沿って列状に並んだ態様で配置される。【選択図】  図２
2017060434.tif 000002
【特許請求の範囲】
【請求項１】
背面に放熱構造が設けられ、光源が長手方向へ配置される照射部を前面に取り付け可能であり、前記照射部の長手方向へ伸びる板状の基部と、
前記基部に繋がり、前記基部の長手方向側方に配置され、前記照射部の電源を収容可能な筐体と、
を備えたことを特徴とする、
照明器具。
【請求項２】
前記筐体は、
前記基部の長手方向側縁から前記基部の面方向へ伸びる近位部と、
前記近位部の前面側端から前記基部の幅方向へ伸びる前面側板部と、
前記近位部の背面側端から前記基部の幅方向へ伸びる背面側板部と、
前記前面側板部と前記背面側板部の幅方向遠位端を面方向に繋げる遠位部と、
を備えたことを特徴とする、
請求項１に記載の照明器具。
【請求項３】
前記近位部は、前記基部の長手方向側縁から前記基部の前面側に伸びる前面側近位部を有することを特徴とする、
請求項２に記載の照明器具。
【請求項４】
前記近位部は、前記基部の長手方向側縁から前記基部の背面側に伸びる背面側近位部を有することを特徴とする、
請求項２及び３のいずれかに記載の照明器具。
【請求項５】
前記基部は、複数の前記照明を列状に並べて取り付け可能であり、
前記筐体は、複数の前記電源を列状に並べて収容可能であることを特徴とする、
請求項１乃至４のいずれかに記載の照明器具。
【請求項６】
前記列状の方向は同一の列方向であり、
前記基部及び前記筐体は、前記同一の列方向に伸びる態様であることを特徴とする、
請求項５に記載の照明器具。
【請求項７】
前記電源の配線が配置される空間として前記筐体内の前記ヒートシンク側に設けられた配線配置部を有することを特徴とする、
請求項１乃至６のいずれかに記載の照明器具。
【請求項８】
前記ヒートシンクから一番離れた位置にある前記筐体の所定面、又はその付近に前記電源を配置可能な電源配置部を有することを特徴とする、
請求項１乃至７に記載の照明器具。
【請求項９】
請求項１乃至８に記載の照明器具を植物栽培室内に取り付けたことを特徴とする、
植物栽培装置。
【請求項１０】
請求項１乃至８に記載の照明器具に複数の前記照明と、前記照明に対応する複数の前記電源とを備えた照明装置であって、
前記電源は、交流電力の入力を受けて前記照明を駆動させる直流電力を前記照明へ出力すると共に、外部へ交流電力を出力し、
前記筐体に複数収容された前記電源は、隣り合う前記電源から出力される交流電力が自身に入力されるよう直列接続されることを特徴とする、
照明装置。
【請求項１１】
前記照明装置を植物栽培室内に取り付けたことを特徴とする、
植物栽培装置。
【発明の詳細な説明】
【技術分野】
【０００１】
本発明は、照明器具、その照明器具を用いた照明装置、及びその照明器具を用いた植物栽培装置に関する。
【背景技術】
【０００２】
近年、ＬＥＤ照明装置を用いた植物の栽培が盛んになってきている。そのような中、四隅に設けられた支柱により、間隔を設けて水平方向に設置された複数段の棚板と、その各棚板上に置かれた植物栽培容器と、その各棚板に対応して設けられ、植物栽培容器の上方に配置された複数の照明装置とを備えた植物栽培装置が提案されている（例えば、特許文献１参照）。
【０００３】
上記植物栽培装置には、照明装置に搭載されたＬＥＤ等の半導体発光素子チップに電流を供給する電力供給ラインが設けられている。電力供給ラインは、棚板の裏面を伝って、植物栽培装置の外部に引き出され、植物栽培装置の外部に置かれた電源に接続されている。
【０００４】
また、その他の照明装置では、ＬＥＤが実装された配線基板の裏面側に電源が設けられることが多かった（例えば、特許文献２参照）。
【先行技術文献】
【特許文献】
【０００５】
【特許文献１】特開２０１２−１４３１７５号公報
【特許文献２】特開２００８−１３０３９７号公報
【発明の概要】
【発明が解決しようとする課題】
【０００６】
近年、植物栽培装置は、インテリアの一部を成すようなデザイン態様で飲食店の店内等に置かれる機会も増えてきている。上記植物栽培装置では、電源が植物栽培装置の外部に置かれている。植物栽培装置内部の照明装置を外部に置かれた電源のみで駆動させる場合、電源が大型化する。その場合、植物栽培装置をインテリアの一部を成すものとして見せようとしても外部に置かれた大型電源がその景観を損なう。
【０００７】
また、電源を植物栽培装置内部に収めようとしても、上記その他の照明装置のようにＬＥＤが実装された配線基板の裏面側に電源が配置されると、電源も含めるとその照明装置の高さが高くなる。近年、植物栽培室が多段になった植物栽培装置が多数登場しているため、植物栽培室１段当たりにとれる高さが限られてくる。
【０００８】
本発明は、斯かる実情に鑑み、照明装置の高さを低く抑える照明器具、その照明器具を用いた照明装置、及びその照明器具又はその照明装置を用いた植物栽培装置を提供しようとするものである。
【課題を解決するための手段】
【０００９】
本発明は、上記課題を解決するためのものであり、本発明の照明器具は、背面に放熱構造が設けられ、光源が長手方向へ配置される照射部を前面に取り付け可能であり、上記照射部の長手方向へ伸びる板状の基部と、上記基部に繋がり、上記基部の長手方向側方に配置され、上記照射部の電源を収容可能な筐体と、を備えたことを特徴とする。
【００１０】
また、本発明の照明器具において、上記筐体は、上記基部の長手方向側縁から上記基部の面方向へ伸びる近位部と、上記近位部の前面側端から上記基部の幅方向へ伸びる前面側板部と、上記近位部の背面側端から上記基部の幅方向へ伸びる背面側板部と、上記前面側板部と上記背面側板部の幅方向遠位端を面方向に繋げる遠位部と、を備えたことを特徴とする。
【００１１】
また、本発明の照明器具において、上記近位部は、上記基部の長手方向側縁から上記基部の前面側に伸びる前面側近位部を有することを特徴とする。
【００１２】
また、本発明の照明器具において上記近位部は、上記基部の長手方向側縁から上記基部の背面側に伸びる背面側近位部を有することを特徴とする。
【００１３】
また、本発明の照明器具において、上上記基部は、複数の上記照明を列状に並べて取り付け可能であり、上記筐体は、複数の上記電源を列状に並べて収容可能であることを特徴とする。
【００１４】
また、本発明の照明器具において、上記列状の方向は同一の列方向であり、上記基部及び上記筐体は、上記同一の列方向に伸びる態様であることを特徴とする。
【００１５】
また、本発明の照明器具において、上記電源の配線が配置される空間として上記筐体内の上記ヒートシンク側に設けられた配線配置部を有することを特徴とする。
【００１６】
また、本発明の照明器具において、上記ヒートシンクから一番離れた位置にある上記筐体の所定面、又はその付近に上記電源を配置可能な電源配置部を有することを特徴とする。
【００１７】
また、本発明の照明装置は、上記照明器具に複数の上記照明と、上記照明に対応する複数の上記電源とを備えた照明装置であって、上記電源は、交流電力の入力を受けて上記照明を駆動させる直流電力を上記照明へ出力すると共に、外部へ交流電力を出力し、上記筐体に複数収容された上記電源は、隣り合う上記電源から出力される交流電力が自身に入力されるよう直列接続されることを特徴とする。
【００１８】
また、本発明の植物栽培装置は、上記照明器具、又は上記照明装置を植物栽培室内に取り付けたことを特徴とする。
【発明の効果】
【００１９】
本発明の照明器具によれば、照明装置の高さを低く抑えることができるという優れた効果を奏し得る。
【図面の簡単な説明】
【００２０】
【図１】本発明の実施の形態における照明器具１００を用いた植物栽培装置９００を示す図である。
【図２】本発明の実施の形態における照明器具１００を示す図である。
【図３】本発明の実施の形態における照明器具１００にＬＥＤ照射部３０及び電源４０を取り付ける様子を示す断面図である。
【図４】本発明の実施の形態における照明器具１００にＬＥＤ照射部３０及び電源４０を取り付ける様子を示す斜視図である。
【図５】本発明の実施の形態における照明器具１００にＬＥＤ照射部３０及び電源４０を取り付けた際のブロック図である。
【発明を実施するための形態】
【００２１】
以下、本発明の実施の形態を添付図面を参照して説明する。
【００２２】
＜１．照明器具の全体概要について＞
【００２３】
図１は、本発明の実施の形態における照明器具１００を用いた植物栽培装置９００を示す図である。植物栽培装置９００は、図１に示すように、ケース９１０と、栽培室９２１〜９２４と、照明装置９３１〜９３４とを備える。
【００２４】
栽培室９２１〜９２４は、それぞれケース９１０内に設けられた植物を栽培する部屋である。本発明の形態における植物栽培装置９００において、栽培室は４段構成になっている。栽培室９２１〜９２４における基台９２１ａ〜９２４ａには、図１に示すように、植物を植えたプランター９４１〜９４８を並べる。照明装置９３１〜９３４は、例えば、光を下方へ照射するものである。植物栽培装置９００において照明装置９３１〜９３４は、プランター９４１〜９４８に植えられた植物へ光を照射して、植物の成長を促進させる。
【００２５】
照明装置９３１〜９３４は、本発明の実施の形態における照明器具１００に照射部、及び電源等を取り付けて構成される。そのような本発明の実施の形態における照明器具１００について以下において説明する。なお、照射部は、例えば、光源が栽培室９２１〜９２４の幅方向（例えば、矢印Ａ方向）、又は、照明器具１００の長手方向（例えば、矢印Ａ方向）へ複数配置されて構成されるものである。なお、光源として、例えば、ＬＥＤ、白熱電球等が想定されるが、これに限るものではなく、その他の照明であってもよい。以下の説明において、光源としてＬＥＤを用いたＬＥＤ照射部を照明器具１００へ取り付けることを一例として説明するが、本発明はその他の照射部にも適用可能である。
【００２６】
＜２．照明器具１００について＞
図２は、本発明の実施の形態における照明器具１００を示す図である。図２（ａ）は、照明器具１００の斜視図である。図２（ｂ）は、照明器具１００の断面図である。照明器具１００は、基部１０と、筐体２０とを備える。照明器具１００にＬＥＤ照射部と電源を取り付けると照明装置になる。
【００２７】
＜２−１．基部１０について＞
基部１０は、例えば、基板１１と、ヒートシンク１２とを少なくとも備える。基板１１は、例えば、板形状とすることが想定される。基板１１の前面１３に照明は取り付けられる。
【００２８】
基板１１の前面１３に対するＬＥＤ照射部の取り付け態様は、様々な態様が想定される。例えば、ＬＥＤ照射部の背面と基板１１の前面１３とに専用の１対の取り付け機構を設けて、その取り付け機構を用いてＬＥＤ照射部を基板１１の前面１３に取り付ける態様や、ＬＥＤ照射部の背面と基板１１の前面１３を接着させてＬＥＤ照射部を前面１３に取り付ける態様や、ねじ止めしてＬＥＤ照射部を基板１１の前面１３に取り付ける態様等が一例として挙げられる。なお、本発明において、基板１１の前面１３に対するＬＥＤ照射部の取り付け態様は、上記以外の全ての公知の取り付け態様をも含む。
【００２９】
また、基板１１は、図２（ａ）に示すように、ヒートシンク１２と伴に、列方向（例えば、矢印Ｂ方向）へ直線状に伸びた態様をしている。ＬＥＤ照射部が複数ある場合、ＬＥＤ照射部は、上記列方向に沿って前面１３に列状に取り付けられる。基板１１の列方向の長さは、取り付けるＬＥＤ照射部の列方向の長さや、取り付けるＬＥＤ照射部の数等の様々な要素を考慮して決定される。なお、基板１１は、列方向へ直線状に伸びた態様に限るものではなく、列方向へ湾曲して伸びる態様や列方向へ屈曲して伸びる態様、その他一切の列方向へ伸びる態様を含む。
【００３０】
また、ヒートシンク１２は、基板１１の背面１４上に設けられる。ヒートシンク１２は、例えば、ＬＥＤ照射部で発生した熱を放熱する放熱フィンの態様が想定される。この場合、ヒートシンク１２は、例えば、基板１１の背面１４上に立設された板状の放熱板１２ａ〜１２ｅにより構成される。なお、ヒートシンク１２の態様は、以上の構造に限るものではなく、放熱板を別の形状にしたり、別の配置態様で基板１１の背面１４に配置したり、その他の公知のヒートシンク構造の一切の態様を本発明は含む。さらに、上記ヒートシンク１２は、基板１１の背面に設けられる放熱構造の一例である。基板１１の背面に設けられる放熱構造には、ヒートシンクをはじめとする一切の放熱構造が含まれる。
【００３１】
また、放熱板１２ａ〜１２ｅは、図２（ａ）に示すように、基板１１と同様に列方向（例えば、矢印Ｂ方向）へ直線状に伸びた態様をしている。なお、基板１１が列方向へ湾曲して伸びる態様や列方向へ屈曲して伸びる態様である場合、放熱板１２ａ〜１２ｅも同様に基板１１の態様に合わせて列方向へ湾曲して伸びる態様や列方向へ屈曲して伸びる態様としてもよいし、基板１１の態様と違った態様であってもよい。
【００３２】
＜２−２．筐体２０について＞
筐体２０は、電源を収容可能なものであり、基部１０の長手方向側方に配置される。別言すると、筐体２０は、図２に示すように、基部１０の幅方向（例えば、矢印Ｄ方向）において基部１０と隣り合うよう配置される。また、筐体２０は、基部１０に繋がっている。
【００３３】
以上のような筐体２０は、例えば、図２に示すように、近位部２１と、前面側板部２２と、背面側板部２３、遠位部２４とにより構成される。近位部２１は、基部１０の長手方向側縁１６から基部１０の面方向（例えば、矢印Ｃ方向）へ伸びる部材である。前面側板部２２は、近位部２１の前面側端１７から基部１０の幅方向（例えば、矢印Ｄ方向）へ伸びる部材である。背面側板部２３は、近位部２１の背面側端１８から基部１０の幅方向（例えば、矢印Ｄ方向）へ伸びる部材である。遠位部２４は、前面側板部２２と背面側板部２３の幅方向遠位端（２２ａ、２３ａ）を基部１０の面方向（例えば、矢印Ｃ方向）に繋げる部材である。
【００３４】
なお、基部１０と筐体２０とが繋がる態様は、基部１０と筐体２０とが一体形成された態様に限るものではない。その他の基部１０と筐体２０とが繋がる態様は、筐体２０に基部１０が取り付けられるような構造になっていて、その取り付け構造を介して繋がっていてもよい。また、基部１０と筐体２０とが繋がる態様は、基部１０と筐体２０とを溶接等の別途の手段を介して繋がる態様であってもよい。すなわち、筐体２０と基部１０とが繋がる態様は、どのような態様であっても本発明の範囲に含まれる。
【００３５】
また、近位部２１は、例えば、前面側近位部２１ａと、背面側近位部２１ｂとにより構成される。前面側近位部２１ａは、基部１０の長手方向側縁１６から基部１０の前面側に伸びる部材である。また、背面側近位部２１ｂは、基部１０の長手方向側縁１６から基部１０の背面側に伸びる部材である。すなわち、近位部２１は、基部１０に対して基部１０の面方向前面及び背面へ伸びるような態様で形成される。なお、背面側近位部２１ｂは、図２（ｂ）に示すように、基板１１の背面１４の端部において基部１０の面方向（例えば、矢印Ｃ方向）へ立設された放熱板１２ｅで構成する態様であってもよい。この場合、基部１０と筐体２０とは、放熱板１２ｅを通じて一体となった態様で両者は繋がっている。また、近位部２１は、前面側近位部２１ａ、及び背面側近位部２１ｂのどちらか一方で構成する態様であってもよい。
【００３６】
また、上記のように構成された筐体２０は、図２（ｂ）に示すように、その断面が台形である台形柱形状部２０ａと、その断面が長方形である四角柱形状部２０ｂとが結合して全体として断面が台形の筒形状になっている。その筒形状端面は、閉じていても開放されていてもよい。後述するが、筐体２０の台形柱形状部２０ａには電源の配線等が配置され、筐体２０の四角柱形状部２０ｂ部分には電源本体が配置されることが想定される。なお、筐体２０の上記形状は一例であって、断面が長方形、正方形等の四角形等の筒形状、断面が半円、半楕円等の筒形状等様々な形状が挙げられる。しかしながら、筐体２０の形状は電源が収容できればその形状が特に限定されるものではなく、どのような形状であってもよい。
【００３７】
また、筐体２０は、基部１０と同様に列方向（例えば、矢印Ｂ方向）へ直線状に伸びた態様をしている。筐体２０にＬＥＤ照射部の電源を収容するため、筐体２０は、基部１０に沿って同一の列方向へ伸びる態様が一例として想定される。したがって、筐体２０も基部１０と同様に、列方向へ直線状に伸びた態様に限るものではなく、列方向へ湾曲して伸びる態様や列方向へ屈曲して伸びる態様、その他一切の列方向へ伸びる態様を含む。電源が複数ある場合、電源は、上記列方向に沿って筐体２０内に列状に並べて収容可能である。
【００３８】
また、筐体２０は、その背面２５が開閉可能な構造となっている。背面２５が開閉可能な構造として、例えば、背面側板２３をスライド蓋として筐体２０の長手方向（例えば、矢印Ｂ方向）へスライドさせることにより筐体２０の背面２５を開閉させるレール構造が一例として挙げられる。レール構造は、背面側板２３の両端付近から背面側板２３の前面側へ立設されたレール部２６ａと、筐体２０の両側面内側上方（近位部２１内面上方、及び遠位部２４内面上方）に設けられた案内部２６ｂとで構成される。案内部２６ｂは、レール部２６ａと係合してレール部２６ａを介して背面側板２３を筐体２０の長手方向（例えば、矢印Ｂ方向）へ案内する。これにより、背面側板２３を長手方向（例えば、矢印Ｂ方向）へスライドさせることにより筐体２０の背面２５を開閉することが可能となる。
【００３９】
また、背面側板２３を用いた筐体２０の背面開閉構造として、例えば、図２（ｂ）に示すように、背面側板２３を脱着可能な蓋として筐体２０の背面２５を開閉させる脱着蓋構造が一例として挙げられる。脱着蓋構造は、背面側板２３の両端付近から背面側板２３の前面側へ立設された爪部２７ａと、筐体２０の両側面内側上方（近位部２１内面上方、及び遠位部２４内面上方）に設けられた係合部２７ｂとで構成される。係合部２７ｂは、爪部２７ａと係合すると、爪部２７ａの上方への動きを制限する。したがって、図２（ｂ）に示すように、背面側板２３を筐体２０に嵌め込んで、爪部２７ａを係合部２７ｂと係合させると、背面側板２３は動きを制限される。一方で、背面側板２３を筐体２０から取り外す場合、爪部２７ａを筐体２０中央方向（例えば、矢印Ｅ方向）に向かって変形させて爪部２７ａを係合部２７ｂから外して背面側板２３を取り外せばよい。または、背面側板２３に所定の引張力を加えると、爪部２７ａが変形して係合部２７ｂから外れる態様であってもよい。この場合、背面側板２３を所定の力で背面側板２３の背面側へ引っ張るだけで背面側板２３を筐体２０から外すことができる。
【００４０】
＜３．照明器具１００への照明及び電源の取り付けについて＞
図３は、本発明の実施の形態における照明器具１００にＬＥＤ照射部３０及び電源４０を取り付ける様子を示す断面図である。図３（ａ）は、照明器具１００にＬＥＤ照射部３０及び電源４０を取り付ける直前の様子を示す断面図である。図３（ｂ）は、照明器具１００にＬＥＤ照射部３０及び電源４０を取り付けた後の様子を示す断面図である。
【００４１】
照明器具１００にＬＥＤ照射部３０を取り付ける場合、図３（ａ）に示すように、基板１１の前面１３にＬＥＤ照射部３０を取り付ける。また、照明器具１００に電源４０を取り付ける場合、図３（ａ）に示すように、まず、筐体２０の背面側板２３を取り外す。そして、開放された筐体２０の背面２５から電源４０を筐体２０内部に入れた後に背面側板２３で筐体２０の背面２５に蓋をすると、図３（ｂ）に示すような態様になる。
【００４２】
なお、筐体２０中における電源４０の配置は、図３（ｂ）に示すように、例えば、ヒートシンク１２から一番離れた位置、又はその付近にすることが好ましい。これは、ヒートシンク１２に蓄積された熱が電源４０に与える影響を低減させるためである。ヒートシンク１２から一番離れた位置として、図３（ｂ）に示すように、筐体２０の背面側近位部２１ｂを構成する放熱板１２ｅ（背面側近位部２１ｂ）と対向する面に相当する遠位部２４、又はその付近一例として挙げられる。
【００４３】
ヒートシンク１２から一番離れた位置、又はその付近に電源４０を配置する場合、電源４０をその配置で固定する専用の配置機構を別途設けてもよい。そのような配置機構として、筐体２０内に電源４０をネジで固定して配置したり、筐体２０内に仕切り板で電源４０を配置する場所を囲ってそこに電源４０を配置したりと様々な態様が想定される。なお、これは一例であって、ヒートシンク１２から一番離れた位置、又はその付近に電源４０を配置可能な他の公知の電源配置機構も本発明には含まれる。
【００４４】
また、筐体２０の台形柱形状部２０ａは、電源４０における配線群４１を配置させるための空間である。したがって、電源４０における配線群４１をフォーミングする際に、配線群４１が台形柱形状部２０ａに配置されるようにフォーミングを行う。
【００４５】
配線群４１を配置する場所をヒートシンク１２と電源４０との間に別途設けることにより、電源４０とヒートシンク１２との間の距離をその分多くとることができる。これにより、ヒートシンク１２の熱が電源４０に対して与える影響を低減することができる。なお、ヒートシンク１２と電源４０との間に配線群４１を配置する場合、配線群４１は、耐熱性のあるケーブルで構成することが好ましい。
【００４６】
図４は、本発明の実施の形態における照明器具１００にＬＥＤ照射部３０及び電源４０を取り付ける様子を示す斜視図である。図４（ａ）は、照明器具１００にＬＥＤ照射部３０及び電源４０を取り付ける様子を示す斜視図である。図４（ｂ）は、ＬＥＤ照射部３０の平面図である。
【００４７】
ＬＥＤ照射部３０は、図４（ｂ）に示すように、いわゆるバータイプのＬＥＤ照射部である。ＬＥＤ照射部３０には、ＬＥＤ照射部３０の長手方向に沿って列状に複数のＬＥＤ３１が配置される。複数のＬＥＤ３１の配置態様は、列状であれば、特に限定はなく、１列でも、複数列でもよい。
【００４８】
図４（ａ）に示すような態様で、基部１０の長手方向に沿って基板１１の前面１３に列状に上記のようなＬＥＤ照射部３０が複数取り付けられる。また、照明器具１００は、ＬＥＤ照射部３０の周囲に照明カバー１５が取り付けられる態様になっており、そのような態様も本発明に含まれる。それに伴って、ＬＥＤ照射部３０に対応するそれぞれの電源４０は、筐体２０に収容される。また、電源４０の配線群４１が、筐体２０の台形柱形状部２０ａに配置するようにフォーミングされる。
【００４９】
以上のような照明器具１００によれば、ＬＥＤ照射部３０の電源４０をＬＥＤ照射部３０の長手方向側方（又は、幅方向に隣り合うよう）に配置させることができるため、電源４０を含めたＬＥＤ照射部３０の高さを低くすることができる。すなわち、本発明の照明器具は、従来、照明装置において高さ方向に配置していた電源を、平面方向に配置させることにより、照明装置の高さを抑えて、限られたスペースを有効活用することを可能にしている。
【００５０】
したがって、照明器具１００に照射部３０及び電源４０を取り付けた照明装置全体の高さを低くするには、図３に示すように、照射部３０や照明カバー１５等を取り付けた基部１０の全体の高さＨ１の範囲内で筐体２０の高さＨ２（Ｈ１＞Ｈ２）を設定することが好ましい。基部１０の背面端部１９ａと筐体２０の背面２５端部の面方向の高さが一致した状態（図３に示す位置）から、筐体２０を背面方向（例えば、矢印Ｆ方向）へずらすとそのずれた分、照明装置全体の高さが高くなるからである。一方で、図３（ｂ）において筐体２０は、（Ｈ１―Ｈ２）に相当する高さＨ３の分だけ前面方向（例えば、矢印Ｇ方向）へ延長可能である。以上からして、照明器具１００に照射部３０及び電源４０を取り付けた照明装置が図３（ｂ）に示す態様の場合、筐体２０は、面方向の長さがＨ１以内とすることが好ましい。さらに、筐体２０は、ＬＥＤ照射部３０を取り付けた基部１０の前面端部１９ｂから背面端部１９ａまでの範囲で面方向に配置させることが好ましい。すなわち、前面側近位部２１ａは、基部１０の前面端部１９ｂから突出しない範囲で基部１０の前面側に伸び、背面側近位部２１ｂは、基部１０の背面端部１９ａから突出しない範囲で基部１０の背面側に伸びる態様にすればよい。また、近位部２１は、電源４０の面方向の高さが許容すれば、前面側近位部２１ａ又は背面側近位部２１ｂのみで構成されていてもよい。以上の趣旨に沿って、前面側板部２２、背面側板部２３、遠位部２４も設けられる。
【００５１】
なお、以上の説明は、照射部等を基部１０に取り付けた照明装置全体の面方向の長さの方が、筐体２０の面方向の長さよりも長いことを前提にして説明したが、逆に、筐体２０の面方向の長さの方が照明装置の面方向の長さの方よりも長い場合、照明装置全体の面方向の長さを上記説明に習って調整すればよく、そのような態様も本発明に含まれる。
【００５２】
以上のような照明器具１００を図１に示す植物栽培装置９００に適用すれば、電源４０を含めたＬＥＤ照射部３０が栽培室において専有する高さを低くすることができる。これにより、植物栽培装置９００における栽培室の段数を容易に増やすことができる。また、照明器具１００を図１に示す植物栽培装置９００に適用すれば、電源４０を植物栽培装置９００内に配置して外側から隠すことができるため、植物栽培装置９００を含めた周囲の空間のインテリアデザイン的な景観を損ねることがないという優れた効果を奏する。
【００５３】
＜４．電源４０の接続態様について＞
図５は、本発明の実施の形態における照明器具１００にＬＥＤ照射部３０及び電源４０を取り付けた際のブロック図である。図５に示すように、ＬＥＤ照射部３０は、基部１０の長手方向（列方向）に沿って列状に並んだ態様で基部１０に取り付けられる。また、ＬＥＤ照射部３０に対応する電源４０も筐体２０の長手方向（列方向）に沿って列状に並べて筐体２０内に収容される。筐体２０内に列状に並べて収容された電源４０は直列に接続される。
【００５４】
ここで、電源４０について説明する。電源４０は、ＡＣ／ＤＣ電源である。電源４０は、入力された交流電力を直流電力と交流電力の形で出力するものである。電源４０は、直流電力を自身に接続されるＬＥＤ照射部３０へ出力し、交流電力を次段の電源４０の入力へ出力する。直列接続の初段に相当する電源４０ａのみは、商用電源等の外部電源から交流電力を供給される。直列接続の次段以降の電源４０は、前段の電源４０から交流電力を供給される。電源４０は以上のような態様で接続される。なお、以上の電源４０の構成は、一例であって、その他の電源４０の接続構成であってもよい。
【００５５】
以上のような構成の電源４０を用いれば、複数の電源４０を列状に並べて直列接続することができるため、筐体２０の断面形状は、電源４０の断面形状に応じたものにすれば足り、筐体２０をスリム化することができる。
【００５６】
尚、本発明の照明器具は、上記説明した実施の形態に限定されるものではなく、本発明の要旨を逸脱しない範囲内において種々変更を加え得ることは勿論である。
【符号の説明】
【００５７】
１０  基部
１１  基板
１２  ヒートシンク
１２ａ、１２ｂ、１２ｃ、１２ｄ、１２ｅ  放熱板
１３  前面
１４、２５  背面
１５  照明カバー
１６  長手方向側縁
１７  前面側端
１８  背面側端
１９ａ  背面端部
１９ｂ  前面端部
２０  筐体
２０ａ  台形柱形状部
２０ｂ  四角柱形状部
２１  近位部
２１ａ  前面側近位部
２１ｂ  背面側近位部
２２  前面側板部
２３  背面側板部
２３  背面側板
２４  遠位部
２６ａ  レール部
２６ｂ  案内部
２７ａ  爪部
２７ｂ  係合部
３０  ＬＥＤ照射部
４０、４０ａ  電源
４１  配線群
１００  照明器具
９００  植物栽培装置
９２１、９２２、９３３、９２４  栽培室
９２１ａ、９２２ａ、９２３ａ、９２４ａ  基台
９３１、９３２、９３３、９３４  照明装置
【図１】
2017060434.tif 000003
【図２】
2017060434.tif 000004
【図３】
2017060434.tif 000005
【図４】
2017060434.tif 000006
【図５】
2017060434.tif 000007